(57)【要約】【課題】漫画形式のチャットアプリが組み込まれたモバイル端末機とチャットアプリが組み込まれていないモバイル端末機との間で、漫画形式でチャットできるようにするモバイルチャットシステムを提供する。【解決手段】前記課題を解決するために、漫画形式のチャットアプリが組み込まれた第１モバイル端末機と、ウェブページを介してチャットが漫画ストーリー形式で展開する第２モバイル端末機と、第１及び２モバイル端末機を中継するチャットサーバーと、第２モバイル端末機からチャットメッセージが入力されると、メッセージ及び第２モバイル端末機のユーザーを漫画キャラクターでチャットウェブページに表示するチャットウェブサーバーと、を含む。【選択図】図１
2015514273.tif 000002
【特許請求の範囲】
【請求項１】
チャットユーザー間のチャットの展開を漫画ストーリー形式で表示するチャットアプリが組み込まれたモバイル端末機と、前記チャットアプリが組み込まれていないモバイル端末機と、を漫画ストーリー形式で相互間にチャットできるようにするモバイルチャットシステムであって、
前記チャットアプリが組み込まれ、前記チャットユーザーのチャットメッセージを送受信すれば、前記チャットユーザーを漫画キャラクターで表示し、前記チャットメッセージを、前記漫画キャラクターにスピーチバルーン形態で表示し、前記チャットユーザー間のチャットの展開を漫画ストーリー形式で表示する第１モバイル端末機と、
前記第１モバイル端末機からチャットメッセージを受信すると、チャットウェブページに前記チャットユーザーを漫画キャラクターで表示し、前記チャットユーザーのチャットメッセージを前記漫画キャラクターにスピーチバルーン形態で表示し、前記チャットユーザー間のチャットの展開を漫画ストーリー形式で表示する第２モバイル端末機と、
前記第１モバイル端末機及び前記第２モバイル端末機から前記チャットメッセージ及びチャットユーザーの前記漫画キャラクターを送受信し、相互チャットしようとするモバイル端末機を中継するチャットサーバーと、
前記チャットサーバーを介して前記第１モバイル端末機から受信した前記チャットメッセージ及び前記漫画キャラクターを、前記第２モバイル端末機が接続した前記チャットウェブページに表示し、前記第２モバイル端末機からチャットメッセージが入力されると、前記第２モバイル端末機から入力されたチャットメッセージ及び前記第２モバイル端末機のユーザーの漫画キャラクターを前記チャットウェブページに表示し、前記チャットサーバーを介して前記第１モバイル端末機に送信するチャットウェブサーバーと、
を含むことを特徴とするモバイルチャットシステム。
【請求項２】
前記モバイルチャットシステムは、更に、
前記第１モバイル端末機が送受信するチャットメッセージを、前記チャットサーバーを介して受信し、前記第１モバイル端末機が送受信したチャットメッセージのデータ伝送量を計算し、前記データ伝送量に比例して前記第１モバイル端末機のユーザーＩＤに所定のポイントを与える管理者サーバーを含むことを特徴とする請求項１に記載のモバイルチャットシステム。
【請求項３】
前記第１モバイル端末機は、
前記第１モバイル端末機のチャットユーザーからチャットメッセージが入力される第１メッセージ作成部と、
前記チャットメッセージを、前記第１メッセージ作成部から受信し、前記チャットサーバーに送信し、前記チャットサーバーから前記第２モバイル端末機が伝送したチャットメッセージを受信する第１メッセージ送受信部と、
前記第１メッセージ作成部から前記第１モバイル端末機のユーザーにより入力されたチャットメッセージを受信し、前記チャットユーザーの漫画キャラクターにスピーチバルーン形態で表示し、前記第１メッセージ送受信部から前記第２モバイル端末機が送信したチャットメッセージを前記第２モバイル端末機のユーザー漫画キャラクターにスピーチバルーン形態で表示し、チャットユーザー間のチャットの展開を漫画ストーリー形式で前記第１モバイル端末機に表示する第１イメージ形成部と、
前記漫画ストーリー形式で形成された前記チャットユーザー間のチャットの展開を漫画イメージで貯蔵する第１イメージ貯蔵部と、
を含むことを特徴とする請求項１に記載のモバイルチャットシステム。
【請求項４】
前記第１イメージ形成部は、
前記第１モバイル端末機及び前記第２モバイル端末機のユーザーが入力するチャットメッセージに含まれたテキストを認識し、前記テキストの性格に応じて前記第１モバイル端末機及び前記第２モバイル端末機のユーザー漫画キャラクターの表情を自動で変化させることを特徴とする請求項３に記載のモバイルチャットシステム。
【請求項５】
前記チャットウェブサーバーは、
前記第２モバイル端末機のチャットユーザーからチャットメッセージが入力される第２メッセージ作成部と、
前記チャットメッセージを前記第２メッセージ作成部から受信し、前記チャットサーバーに送信し、前記チャットサーバーから前記第１モバイル端末機が伝送したチャットメッセージを受信する第２メッセージ送受信部と、
前記第２メッセージ作成部から前記第２モバイル端末機のユーザーにより入力されたチャットメッセージを受信し、前記チャットユーザーの漫画キャラクターにスピーチバルーン形態で前記ウェブページに表示し、前記第２メッセージ送受信部から前記第１モバイル端末機が送信したチャットメッセージを前記第１モバイル端末機のユーザー漫画キャラクターにスピーチバルーン形態で表示し、チャットユーザー間のチャットの展開を漫画ストーリー形式で前記第２モバイル端末機の前記ウェブページに表示する第２イメージ形成部と、
前記漫画ストーリー形式で形成された前記チャットユーザー間のチャットの展開を漫画イメージで貯蔵する第２イメージ貯蔵部と、
を含むことを特徴とする請求項１に記載のモバイルチャットシステム。
【請求項６】
前記第２イメージ形成部は、
前記第１モバイル端末機及び前記第２モバイル端末機のユーザーが入力するチャットメッセージに含まれたテキストを認識し、前記テキストの性格に応じて前記第１モバイル端末機及び前記第２モバイル端末機のユーザー漫画キャラクターの表情を自動で変化させることを特徴とする請求項５に記載のモバイルチャットシステム。
【請求項７】
前記第１モバイル端末機は、更に、
前記第１モバイル端末機のチャットユーザーの音声を認識する第１音声認識部と、
前記認識された音声の音色を分析する第１ボイス分析部と、
前記第１モバイル端末機に入力されるチャットメッセージを音声情報に変換する第１音声データ変換部と、
前記第１音声データ変換部から音声情報を受信し、前記音声情報を前記第１ボイス分析部から分析された前記第１モバイル端末機のチャットユーザーの音色に変換する第１音色変換部と
前記第１音色変換部から前記第１モバイル端末機のユーザーの音色に変換された前記チャットメッセージの音声情報を前記第１モバイル端末機のスピーカーに出力する第１音声出力部と、を含み、
前記第１音声出力部は、
前記第１モバイル端末機のチャットユーザーの音色に変換された前記チャットメッセージの音声情報を、前記チャットサーバーを介して前記第２モバイル端末機に伝送されるようにし、前記第２モバイル端末機でも、前記第１モバイル端末機に入力されたチャットメッセージが、前記第１モバイル端末機のチャットユーザーの音色に変換された前記チャットメッセージの音声情報で出力されるようにすることを特徴とする請求項３に記載のモバイルチャットシステム。
【請求項８】
前記チャットウェブサーバーは、更に、
前記第２モバイル端末機のチャットユーザーの音声を認識する第２音声認識部と、
前記認識された音声の音色を分析する第２ボイス分析部と、
前記第２モバイル端末機に入力されるチャットメッセージを、音声情報に変換する第２音声データ変換部と、
前記第２音声データ変換部から前記変換された音声情報を受信し、前記音声情報を前記第２ボイス分析部から分析された前記第２モバイル端末機のユーザーの音色に変換する第２音色変換部と、
前記第２音色変換部から前記第２モバイル端末機のユーザーの音色に変換された前記チャットメッセージの音声情報を前記第２モバイル端末機のスピーカーに出力する第２音声出力部と、を含み、
前記第２音声出力部は、
前記第２モバイル端末機のチャットユーザーの音色に変換された前記チャットメッセージの音声情報を、前記チャットサーバーを介して前記第１モバイル端末機に伝送されるようにし、前記第１モバイル端末機でも、前記第２モバイル端末機に入力されたチャットメッセージが、前記第２モバイル端末機のチャットユーザーの音色に変換された前記チャットメッセージの音声情報で出力されるようにすることを特徴とする請求項１に記載のモバイルチャットシステム。
【発明の詳細な説明】
【技術分野】
【０００１】
本発明は、ウェブページ上における漫画ストーリー形式の対話を支援するモバイルチャットシステムに関する。詳しくは、チャットユーザー間のチャットの展開を漫画ストーリー形式で表示するチャットアプリが組み込まれたモバイル端末機とチャットアプリが組み込まれていないモバイル端末機とを、漫画ストーリーの形式で相互チャットを可能にするモバイルチャットシステムに関するものである。
【背景技術】
【０００２】
最近、スマートフォンの普及が一般化し、無料テキストサービスに関する競争もさらに激しさを増してきている。無料テキストサービスアプリの代表的なものは、「Ｋａｋａｏ Ｔａｌｋ」であり、Ｋａｋａｏ Ｔａｌｋの国内加入者は、現在、３，２００万人を超え、国外加入者は６００万人を超えており、Ｋａｋａｏ Ｔａｌｋだけで一日１０億件のテキストが行き来しているという（２０１１年末基準、Kakao Corp.発表）。加えて、「Ｍｙ Ｐｅｏｐｌｅ」（Daum Communications）、「Ｌｉｎｅ」（NHN Corp.）、「Ｔｉｃｔｏｋ」（MadSmart Corp.）などが後発者としてＫａｋａｏ Ｔａｌｋと差別化されたサービスを通して無料テキストサービスに新しく参入している。
【０００３】
まず、Daum Communicationsの「Ｍｙ Ｐｅｏｐｌｅ」は、スマートフォンだけでなく、ＰＣでも利用できる機能を持っている。既存のＫａｋａｏ Ｔａｌｋなどのメッセンジャーアプリは、メッセージをやり取りするとき、スマートフォンを通してのみ可能であり、ＰＣを通して使用することはできなかった。また、Ｍｙ Ｐｅｏｐｌｅは無料音声通話サービスを提供している。
【０００４】
NHN Corp.の「Ｌｉｎｅ」は、スマートフォンを振って友たちを追加する機能、音声通話機能、気象情報提供、日本語通訳機能、映像通話機能（予定）、ＰＣ及びタブレットＰＣで使用可能な機能を追加している。
【０００５】
MadSmart Corp.の「Ｔｉｃｔｏｋ」は、速いメッセージ伝送を可能にしながら、ソーシャル機能（いわゆる「Ｇｕｒｕｍ」）を追加し、共通の関心事を有する人同士を紹介し、対話及び情報の共有が可能な一種のＳＮＳ機能を有している。
【０００６】
しかし、これら従来の無料テキストサービスアプリは、モバイル端末機のユーザー間で単純にテキストだけをやり取りする無味乾燥したテキストサービスを提供し、チャットを利用する端末機のユーザー等の興味を刺激するには一定の限界をあった。そこで、最近のテキストサービスアプリは、モバイル端末機のユーザーの様々な表情を表現できるエモーティコン、ステッカー機能を追加しているが、これも端末機のユーザー間の対話はテキストを中心とする対話であり、端末機のユーザー間の対話をおもしろいストーリーで構成するには足りないという問題があった。
【０００７】
また、モバイル端末機のユーザーは、これらの無料テキストサービスを利用するにおいて、単に多数のユーザー間の対話のチャネルとして利用するだけであり、これらモバイルチャットシステムを利用するように促すことができるシステムを有していない問題があった。
【発明の概要】
【発明が解決しようとする課題】
【０００８】
本発明に係るウェブページ上における漫画ストーリー形式の対話を支援するモバイルチャットシステムは、前述したような従来の問題点を解決するものであり、以下の解決課題を有する。
【０００９】
第１に、従来のテキスト対話中心のチャット方式から脱した、ストーリーを有するモバイルチャットシステムを提供する。
【００１０】
第２に、モバイルチャットユーザーがモバイルチャットにより積極的に参加できるようにするモバイルチャットシステムを提供する。
【００１１】
第３に、モバイルチャットユーザーの感情を効率的に伝達しうるモバイルチャットシステムを提供する。
【００１２】
本発明の解決課題は、以上で言及されたもの等に限定されず、言及されていない他の解決課題は、下記から当業者であれば明確に理解できる。
【課題を解決するための手段】
【００１３】
本発明に係るウェブページ上における漫画ストーリー形式の対話を支援するモバイルチャットシステムは、前記の解決しようとする課題のために、以下の課題解決手段を有する。
【００１４】
本発明に係るウェブページ上における漫画ストーリー形式の対話を支援するモバイルチャットシステムはチャットユーザー間のチャットの展開を漫画ストーリー形式で表示するチャットアプリが組み込まれたモバイル端末機と、前記チャットアプリが組み込まれていないモバイル端末機と、を漫画ストーリー形式で相互間にチャットできるようにするモバイルチャットシステムであって、チャットアプリが組み込まれ、チャットユーザーのチャットメッセージを送受信すると、チャットユーザーを漫画キャラクターで表示し、チャットメッセージを、漫画キャラクターにスピーチバルーン形態で表示し、チャットユーザー間のチャットの展開を漫画ストーリー形式で表示する第１モバイル端末機と、第１モバイル端末機からチャットメッセージを受信すると、チャットウェブページにチャットユーザーを漫画キャラクターで表示し、チャットユーザーのチャットメッセージを漫画キャラクターにスピーチバルーン形態で表示し、チャットユーザー間のチャットの展開を漫画ストーリー形式で表示する第２モバイル端末機と、第１モバイル端末機及び第２モバイル端末機からチャットメッセージ及びチャットユーザーの漫画キャラクターを送受信し、相互チャットしようとするモバイル端末機を中継するチャットサーバーと、チャットサーバーを介して第１モバイル端末機から受信したチャットメッセージ及び漫画キャラクターを、第２モバイル端末機が接続したチャットウェブページに表示し、第２モバイル端末機からチャットメッセージが入力されれば、第２モバイル端末機から入力されたチャットメッセージ及び第２モバイル端末機のユーザーの漫画キャラクターをチャットウェブページに表示し、チャットサーバーを介して第１モバイル端末機に送信するチャットウェブサーバーと、を含むことを特徴とする。
【００１５】
本発明に係るウェブページ上における漫画ストーリー形式の対話を支援するモバイルチャットシステムは、更に、第１モバイル端末機が送受信するチャットメッセージを、チャットサーバーを介して受信し、第１モバイル端末機が送受信したチャットメッセージのデータ伝送量を計算し、データ伝送量に比例して第１モバイル端末機のユーザーＩＤに所定のポイントを与える管理者サーバーを含むことを特徴とする。
【００１６】
本発明に係るウェブページ上における漫画ストーリー形式の対話を支援するモバイルチャットシステムの第１モバイル端末機は、第１モバイル端末機のチャットユーザーからチャットメッセージが入力される第１メッセージ作成部と、チャットメッセージを、第１メッセージ作成部から受信し、チャットサーバーに送信し、チャットサーバーから第２モバイル端末機が伝送したチャットメッセージを受信する第１メッセージ送受信部と、第１メッセージ作成部から第１モバイル端末機のユーザーにより入力されたチャットメッセージを受信し、チャットユーザーの漫画キャラクターにスピーチバルーン形態で表示し、第１メッセージ送受信部から第２モバイル端末機が送信したチャットメッセージを第２モバイル端末機のユーザー漫画キャラクターにスピーチバルーン形態で表示し、チャットユーザー間のチャットの展開を漫画ストーリー形式で第１モバイル端末機に表示する第１イメージ形成部と、漫画ストーリー形式で形成されたチャットユーザー間のチャットの展開を漫画イメージで貯蔵する第１イメージ貯蔵部と、を含むことを特徴とする。
【００１７】
本発明に係るウェブページ上における漫画ストーリー形式の対話を支援するモバイルチャットシステムの第１イメージ形成部は、第１モバイル端末機及び第２モバイル端末機のユーザーが入力するチャットメッセージに含まれたテキストを認識し、テキストの性格に応じて第１モバイル端末機及び第２モバイル端末機のユーザー漫画キャラクターの表情を自動で変化させることを特徴とする。
【００１８】
本発明に係るウェブページ上における漫画ストーリー形式の対話を支援するモバイルチャットシステムのチャットウェブサーバーは、第２モバイル端末機のチャットユーザーからチャットメッセージが入力される第２メッセージ作成部と、チャットメッセージを第２メッセージ作成部から受信し、チャットサーバーに送信し、チャットサーバーから第１モバイル端末機が伝送したチャットメッセージを受信する第２メッセージ送受信部と、第２メッセージ作成部から第２モバイル端末機のユーザーにより入力されたチャットメッセージを受信し、チャットユーザーの漫画キャラクターにスピーチバルーン形態でウェブページに表示し、第２メッセージ送受信部から第１モバイル端末機が送信したチャットメッセージを第１モバイル端末機のユーザー漫画キャラクターにスピーチバルーン形態で表示し、チャットユーザー間のチャットの展開を漫画ストーリー形式で第２モバイル端末機のウェブページに表示する第２イメージ形成部と、漫画ストーリー形式で形成されたチャットユーザー間のチャットの展開を漫画イメージで貯蔵する第２イメージ貯蔵部と、を含むことを特徴とする。
【００１９】
本発明に係るウェブページ上における漫画ストーリー形式の対話を支援するモバイルチャットシステムの第２イメージ形成部は、第１モバイル端末機及び第２モバイル端末機のユーザーが入力するチャットメッセージに含まれたテキストを認識し、テキストの性格に応じて第１モバイル端末機及び第２モバイル端末機のユーザー漫画キャラクターの表情を自動で変化させることを特徴とする。
【００２０】
本発明に係るウェブページ上における漫画ストーリー形式の対話を支援するモバイルチャットシステムの第１モバイル端末機は、更に、第１モバイル端末機のチャットユーザーの音声を認識する第１音声認識部と、認識された音声の音色を分析する第１ボイス分析部と、第１モバイル端末機に入力されるチャットメッセージを音声情報に変換する第１音声データ変換部と、第１音声データ変換部から音声情報を受信し、音声情報を前記第１ボイス分析部から分析された第１モバイル端末機のチャットユーザーの音色に変換する第１音色変換部と第１音色変換部から第１モバイル端末機のユーザーの音色に変換された前記チャットメッセージの音声情報を前記第１モバイル端末機のスピーカーに出力する第１音声出力部と、を含み、第１音声出力部は、第１モバイル端末機のチャットユーザーの音色に変換された前記チャットメッセージの音声情報を、前記チャットサーバーを介して第２モバイル端末機に伝送されるようにし、前記第２モバイル端末機でも第１モバイル端末機に入力されたチャットメッセージが、第１モバイル端末機のチャットユーザーの音色に変換されたチャットメッセージの音声情報で出力されるようにすることを特徴とする。
【００２１】
本発明に係るウェブページ上における漫画ストーリー形式の対話を支援するモバイルチャットシステムのチャットウェブサーバーは、更に、第２モバイル端末機のチャットユーザーの音声を認識する第２音声認識部と、認識された音声の音色を分析する第２ボイス分析部と、第２モバイル端末機に入力されるチャットメッセージを、音声情報を変換する第２音声データ変換部と、第２音声データ変換部から変換された音声情報を受信し、音声情報を前記第２ボイス分析部から分析された第２モバイル端末機のユーザーの音色に変換する第２音色変換部と、第２音色変換部から第２モバイル端末機のユーザーの音色に変換されたチャットメッセージの音声情報を第２モバイル端末機のスピーカーに出力する第２音声出力部と、を含み、第２音声出力部は、第２モバイル端末機のチャットユーザーの音色に変換されたチャットメッセージの音声情報を、チャットサーバーを介して第１モバイル端末機に伝送されるようにし、第１モバイル端末機でも第２モバイル端末機に入力されたチャットメッセージが、第２モバイル端末機のチャットユーザーの音色に変換されたチャットメッセージの音声情報で出力されるようにすることを特徴とする。
【発明の効果】
【００２２】
以上のような構成の本発明に係るウェブページ上における漫画ストーリー形式の対話を支援するモバイルチャットシステムは、以下の効果を奏する。
【００２３】
第１に、漫画ストーリー形式でチャットユーザーの対話が展開されるので、チャットユーザーに対して、モバイルチャットを漫画ストーリーが展開されるよう感じさせる効果を奏する。
【００２４】
第２に、チャットユーザーが伝送するメッセージのデータ伝送量に応じてチャットユーザーのＩＤに所定のポイントが与えられるので、チャットユーザーは、チャットに対してより積極的に参加する効果を奏する。
【００２５】
第３に、チャットユーザーが入力するテキストの性格に応じて、キャラクターの表情が変わり、チャットユーザーが入力するテキストを音声に変換し、音声に変換されたものをチャットユーザーの音色に変え、チャット相手に伝達するようになるので、モバイルチャットユーザーの感情を効率的に伝達しうる効果を奏する。
【００２６】
本発明の効果は、以上で言及したもの等に限定されず、言及されていない他の効果は、下記から当業者であれば明確に理解できる。
【図面の簡単な説明】
【００２７】
【図１】本発明の好ましい実施例に係る、ウェブページ上における漫画ストーリー形式の対話を支援するモバイルチャットシステムの各構成要素を示したブロック図である。
【図２】本発明の好ましい実施例に係る、第１モバイル端末機内部の構成要素を示したブロック図である。
【図３】本発明の好ましい実施例に係る、第１モバイル端末機のユーザーの音声を認識及び処理するための構成要素を示したブロック図である。
【図４】本発明の好ましい実施例に係る、チャットしようとするチャット相手の電話帳を示す第１モバイル端末機の画面である。
【図５】本発明の好ましい実施例に係る、チャットしようとするチャット相手モバイル端末機、即ち、第２モバイル端末機に接続要請メッセージを伝送する第１モバイル端末機の画面である。
【図６】本発明の好ましい実施例に係る、接続要請メッセージを受信した第２モバイル端末機の画面である。
【図７】本発明の好ましい実施例に係る、ウェブページで第１モバイル端末機のチャットユーザーと第２モバイル端末機のチャットユーザーとで、漫画ストーリー形式でチャットが展開されることを示した第２モバイル端末機の画面である。
【発明を実施するための形態】
【００２８】
本明細書で使われる用語において、単数の表現は、文脈上明らかに違うように解析できない限り複数の表現を含むものとして理解されるべきであり、「含む」などの用語は、開示された特徴、個数、ステップ、動作、構成要素、部品又はこれらを組合せたものが存在することを意味するものであり、一つ又はそれ以上の他の特徴や個数、ステップ動作構成要素、部品又はこれらの組合せたものの存在又は付加可能性を排除しないものとして理解される。
【００２９】
以下、図面を参照して、本発明に係るウェブページ上における漫画ストーリー形式の対話を支援するモバイルチャットシステムを詳細に説明する。
【００３０】
図１は、本発明の好ましい実施例に係る、ウェブページ上における漫画ストーリー形式の対話を支援するモバイルチャットシステムの各構成要素を示したブロック図である。図２は、本発明の好ましい実施例に係る、第１モバイル端末機内部の構成要素を示したブロック図である。図３は、本発明の好ましい実施例に係る、第１モバイル端末機のユーザーの音声を認識及び処理するための構成要素を示したブロック図である。図４は、本発明の好ましい実施例に係る、チャットしようとするチャット相手の電話帳を示す第１モバイル端末機の画面である。図５は、本発明の好ましい実施例に係る、チャットしようとするチャット相手モバイル端末機、即ち、第２モバイル端末機に接続要請メッセージを伝送する第１モバイル端末機の画面である。図６は、本発明の好ましい実施例に係る、接続要請メッセージを受信した第２モバイル端末機の画面である。図７は、本発明の好ましい実施例に係る、ウェブページで第１モバイル端末機のチャットユーザーと第２モバイル端末機のチャットユーザーが漫画ストーリー形式でチャットが展開することを示した第２モバイル端末機の画面である。
【００３１】
本発明に係るウェブページ上における漫画ストーリー形式の対話を支援するモバイルチャットシステムは、チャットユーザー間のチャットの展開を漫画ストーリー形式で表示するチャットアプリが組み込まれたモバイル端末機１０と、チャットアプリが組み込まれていないモバイル端末機３０と、を漫画ストーリー形式で相互間にチャットできるようにするモバイルチャットシステムであり、図１に示されるように、第１モバイル端末機１０と、第２モバイル端末機３０と、チャットサーバー１０１と、チャットウェブサーバー３３０と、を含む。
【００３２】
モバイル端末機１０、３０は、携帯が可能であり、３Ｇ、Ｗｉ−Ｆｉ、４Ｇ通信方式でデータ通信が可能であり、アプリが組み込まれ、様々な応用プログラムを動作できる一般的なスマートフォン（例えば、アイフォン４Ｓ（アップル社製）、ギャラクシーＳ２、ギャラクシーノート（三星電子製）などをいう）、タブレットＰＣ（例えば、アイパッド（登録商標）２（アップル社製）、ギャラクシータブ（三星電子製）などをいう）などをいう。
【００３３】
但し、前述した通信方式や前述した製品名に限定するのではなく、前述した通信方式以外の方式でデータ通信が可能であればよく、前述した製品の外にもデータ通信が可能で、しかも様々なアプリを設置及び動作しうるモバイル端末機であれば、本発明で言及するモバイル端末機１０、３０の範囲に属するものとする。
【００３４】
第１モバイル端末機１０は、チャットユーザー間のチャットの展開を漫画ストーリー形式で表示するチャットアプリが組み込まれ、チャットユーザーのチャットメッセージを送受信すれば、チャットユーザーを漫画キャラクターで表示し、チャットメッセージを漫画キャラクターにスピーチバルーン形態で表示し、チャットユーザー間のチャットの展開を漫画ストーリー形式で表示する。
【００３５】
ここで、アプリとは、モバイル端末機１０、３０に、有料又は無料で組み込まれ、様々な機能を遂行しうる応用プログラムをいう。これらの応用プログラムは、アップル社のアイフォンの場合は、アップストア（アップル社運営）、モバイル運営体系がアンドロイド（グーグル社運営）のプラットホーム基盤の場合は、アンドロイドマーケットなどで有料又は無料で購入でき、その他の様々なソースを介して購入が可能であり、モバイル端末機１０、３０に組み込むことができる。そして、これらのアプリは、前述するように、アップル社のｉＯＳ、グーグル社のアンドロイドプラットホームでのみ動作されるものに制限されず、今後開発される様々なプラットホームで動作しうる応用プラグラムでもよい。
【００３６】
第１モバイル端末機１０は、前述するように、モバイルチャットアプリが組み込まれ、第１モバイル端末機のユーザーから会員加入及びユーザーの会員情報の入力を受ける。
【００３７】
ここで、ユーザーとは、モバイル端末機１０、３０を介してチャットを行おうとする者をいう。
【００３８】
ユーザーは、第１モバイル端末機１０を介して、チャットしようとする相手モバイル端末機、即ち、第２モバイル端末機３０のユーザーとチャットメッセージを送受信し、この場合、ユーザーは、第１モバイル端末機１０の画面上に漫画キャラクターで表示され、ユーザーがモバイル端末機１０に入力したチャットメッセージ又は第２モバイル端末機３０から受信したチャットメッセージは、ユーザーを漫画キャラクターで表現したものにスピーチバルーン形態で表示する。
【００３９】
第２モバイル端末機３０は、チャットユーザー間のチャットの展開を漫画ストーリー形式で表示するチャットアプリが組み込まれていないモバイル端末機である。
【００４０】
第２モバイル端末機３０は、第１モバイル端末機１０からチャットメッセージを受信すると、チャットウェブページにチャットユーザーを漫画キャラクターで表示し、チャットユーザーのチャットメッセージを漫画キャラクターにスピーチバルーン形態で表示し、チャットユーザー間のチャットの展開を漫画ストーリー形式で第２モバイル端末機３０の画面上に表示する。
【００４１】
即ち、第１モバイル端末機１０は、モバイルチャットアプリを介してチャットの展開を漫画ストーリー形式で展開し、第２モバイル端末機３０は、チャットウェブページを介してチャットを漫画ストーリー形式で展開する。
【００４２】
チャットサーバー１０１は、モバイル端末機１０、３０からメッセージを送受信し、相互チャットしようとするモバイル端末機１０、３０を中継する。チャットサーバー１０１は、無線データ通信で第１モバイル端末機１０とメッセージを送受信するが、データ通信方式は、前述するように、３Ｇ、Ｗｉ−Ｆｉ、４Ｇ又はその他の現存又は今後開発されるあらゆるデータ通信方式を全て含む概念である。
【００４３】
チャットウェブサーバー３３０は、チャットサーバーとデータ通信を行い、第２モバイル端末機３０が接続するサーバーである。チャットウェブサーバー３３０は、チャットサーバー１０１を介して第１モバイル端末機１０からチャットメッセージ及び漫画キャラクターを受信する。チャットウェブサーバー３３０は、第１モバイル端末機１０から受信したチャットメッセージ及び漫画キャラクターを第２モバイル端末機３０が接続したチャットウェブページに表示し、第２モバイル端末機３０から第２モバイル端末機３０のユーザーが入力したチャットメッセージが入力されれば、第２モバイル端末機３０から入力されたチャットメッセージ及び第２モバイル端末機３０のユーザーの漫画キャラクターをチャットウェブページに表示し、チャットサーバーを介して第１モバイル端末機１０に送信する。
【００４４】
図４に示されるように、第１モバイル端末機１０は、第１モバイル端末機１０に保存された電話帳と連動されるモバイルチャットアプリを介して、チャットしようとする相手の名前を電話帳から検索する。ここで、チャットしようとする相手の名前をタッチすれば、図５に示されるように、相手に接続要請信号を送信するようにプログラミングされる。
【００４５】
接続要請信号は、第１モバイル端末機１０のチャットユーザーＩＤの情報が含まれたウェブページの住所であり、図６に示されるように、接続要請信号を受信した第２モバイル端末機３０がこれをタッチされれば、第２モバイル端末機３０のウェブブラウザーが自動実行されながら、接続要請信号、即ち、第２モバイル端末機３０の画面上にウェブページが表示される。第２モバイル端末機３０は、ウェブページを介して、最終的に第１モバイル端末機１０とチャットをするようになり、ウェブページは、チャットウェブサーバー３３０により提供される。
【００４６】
図１に示されるように、チャットウェブサーバー３３０は、チャットサーバー１０１とデータ通信を行い、第１モバイル端末機１０は、モバイルチャットアプリを介して第２モバイル端末機３０と漫画ストーリー形式でチャットを行っており、図７に示されるように、第２モバイル端末機３０は、ウェブページを介して第１モバイル端末機１０と漫画ストーリー形式でチャットを行う。
【００４７】
本発明に係るウェブページ上における漫画ストーリー形式の対話を支援するモバイルチャットシステムは、更に、管理者サーバー１０２を含んでもよい。
【００４８】
管理者サーバー１０２は、第１モバイル端末機１０からユーザーの会員加入申請を受け、第１モバイル端末機１０のユーザーの会員情報を受信する。
【００４９】
管理者サーバー１０２は、第１モバイル端末機１０が送受信するチャットメッセージを、チャットサーバー１０１を介して受信し、第１モバイル端末機１０が送受信したチャットメッセージのデータ伝送量を計算し、データ伝送量に比例して第１モバイル端末機１０のユーザーＩＤに所定のポイントを与える。
【００５０】
所定のポイントを与えるとは、第１モバイル端末機１０のユーザーのＩＤをレベルアップするか、ユーザーのＩＤに経験値を提供し、ユーザーのＩＤにゲームマネーの提供又はアイテムの提供等を含む概念である。
【００５１】
ここで、ゲームマネーは、ユーザーのＩＤに提供される電子貨幣のようなものであり、ユーザーが当該ゲームマネーで各種アイテムをレベルに応じて売買をできる手段となる。
【００５２】
本発明に係るウェブページ上における漫画ストーリー形式の対話を支援するモバイルチャットシステムのゲームマネーは、ゴールド又はキャッシュを含む。ゴールドは、経験値やレベルの上昇に伴う褒賞であり、管理者サーバー１０２が提供し、キャッシュは、第１モバイル端末機１０ユーザーが直接現金を支払うことにより、管理者サーバー１０２から購入できる。即ち、本発明に係るウェブページ上における漫画ストーリー形式の対話を支援するモバイルチャットシステムは、ゲームマネーを介してゲームアイテムの取引が可能であり、キャッシュを現金として管理者サーバー１０２を介して購入でき、有料サービスも可能である。
【００５３】
レベルとは、ユーザーＩＤの等級を意味するものであり、ユーザーＩＤの経験値が一定量以上累積されれば、アップ修正される等級を意味する。そして、経験値は、ユーザーＩＤが本発明に係るモバイルチャットシステムを時間的、データ量的に利用する程度を数値化したものであり、ユーザーＩＤが本モバイルチャットシステムを時間的に又はデータ量的に多く利用すればするほど経験値は高くなる。レベルを数ステップに分けるか、経験値がどれほど貯まれば、レベルをアップするかは、本発明を実施しようする者が適宜調整して、ユーザーのＩＤに適用すればよい。
【００５４】
ユーザーＩＤの経験値及びレベルが高まれば高まるほど、本発明に係るモバイルチャットシステムは、ユーザーＩＤに多くのメリットが与えられる。例えば、高いレベルのユーザーＩＤには、様々なキャラクターの表情やキャラクターの衣装、キャラクターのアクセサリー、キャラクターの魔法能力、キャラクターの力又はキャラクターの身長成長等などのメリットを与え、本発明に係るモバイルチャットシステムを利用するモバイル端末機１０のユーザーは、ユーザーＩＤのレベルをアップするために、積極的に本チャットシステムを利用するよう促される。
【００５５】
本発明に係るウェブページ上における漫画ストーリー形式の対話を支援するモバイルチャットシステムの第１モバイル端末機１０は、図２に示されるように、第１メッセージ作成部１３と、第１メッセージ送受信部１２と、第１イメージ形成部１５と、第１イメージ貯蔵部１４と、を含む。
【００５６】
第１メッセージ作成部１３は、第１モバイル端末機１０のチャットユーザーからチャットメッセージが入力される。モバイル端末機１０がユーザーからメッセージが入力される手段としては、クウォーティキーボード（QWERTY Keyboard）、天地人キーボード（Heaven-Earth-Human Keyboard）などの様々な方式であってもよく、タッチスクリーン、音声認識を通したテキスト変換、押圧式のキーボード入力方式を通して入力することができ、メッセージ入力方式が本発明の技術的思想を制限しない。
【００５７】
第１メッセージ送受信部１２は、第１メッセージ作成部１３からメッセージを受信し、チャットサーバー１０１に送信し、反対に、第２モバイル端末機３０から送信されたメッセージをチャットサーバー１０１から受信する機能もある。メッセージ送受信は、前述したデータ通信方式で行う。
【００５８】
第１イメージ形成部１５は、第１メッセージ作成部からメッセージを受信すれば、第１モバイル端末機１０のユーザーのキャラクターを表示し、これらのキャラクターにスピーチバルーン形態で受信したメッセージを表示し、反対に、チャットサーバー１０１を経由して相手のモバイル端末機である第２モバイル端末機３０から受信したメッセージは、相手のキャラクターにスピーチバルーン形態で表示する。このようにして、相互モバイル端末機１０、３０のユーザー間のチャットの展開は、漫画ストーリー形式で第１モバイル端末機３０に表示される。
【００５９】
第１イメージ貯蔵部１４は、漫画形態に形成されたモバイル端末機１０、３０のユーザー間の対話を漫画イメージで貯蔵する。このとき、第１モバイル端末機１０のユーザーは、貯蔵したいカットのみを選択し、漫画イメージで貯蔵することができる。
【００６０】
ここで、第１イメージ形成部１５は、第１メッセージ作成部１３に入力されるテキスト又は第２モバイル端末機３０から受信したテキストを認識し、これらのテキストの性格に応じて、第１モバイル端末機１０のユーザーのキャラクター表情を自動で変えることができる。即ち、ユーザーがメッセージ内容に、種々のエモーティコン（例えば、＾＾、--又は?）や擬声語（例えば、ワンワン、ザアザア、ガラガラ）を入力すれば、第１イメージ形成部１５がこれを認識し、これに合うように設定された表情や行動をとるようキャラクターのイメージを変える。また、ユーザーは、特定の単語やエモーティコンが入ったとき、特定表情や行動が表現されるよう予め設定することもできる。
【００６１】
本発明に係るウェブページ上における漫画ストーリー形式の対話を支援するモバイルチャットシステムのチャットウェブサーバー３３０は、第２メッセージ作成部と、第２メッセージ送受信部と、第２イメージ形成部と、第２イメージ貯蔵部と、を含む。
【００６２】
この構成要素の第２メッセージ作成部、第２メッセージ送受信部、第２イメージ形成部、及び第２イメージ貯蔵部は、図２に示されるように、第１モバイル端末機の第１メッセージ作成部１３、第１メッセージ送受信部１２、第１イメージ形成部１５、及び第１イメージ貯蔵部１４と基本的な機能が対応しており、そのブロック図は図２と同様であるため、図示しない。
【００６３】
第２メッセージ作成部は、第２モバイル端末機３０のチャットユーザーからのチャットメッセージの入力を受ける。
【００６４】
第２メッセージ送受信部は、チャットメッセージを第２メッセージ作成部から受信し、チャットサーバー１０１に送信し、チャットサーバー１０１から第１モバイル端末機１０が伝送したチャットメッセージを受信する。
【００６５】
第２イメージ形成部は、第２メッセージ作成部から第２モバイル端末機３０のユーザーにより入力されたチャットメッセージを受信し、チャットユーザーの漫画キャラクターにスピーチバルーン形態でウェブページに表示し、第２メッセージ送受信部から第１モバイル端末機１０が送信したチャットメッセージを、第１モバイル端末機１０のユーザー漫画キャラクターにスピーチバルーン形態で表示し、チャットユーザー間のチャットの展開を漫画ストーリー形式で第２モバイル端末機３０のウェブページに表示する。
【００６６】
第２イメージ貯蔵部は、漫画ストーリー形式で形成されたチャットユーザー間のチャットの展開を漫画イメージで貯蔵する。
【００６７】
ここで、第２イメージ形成部は、第１モバイル端末機１０及び第２モバイル端末機３０のユーザーが入力するチャットメッセージに含まれたテキストを認識し、テキストの性格に応じて第１モバイル端末機１０及び第２モバイル端末機３０のユーザー漫画キャラクターの表情を自動で変えることができる。即ち、ユーザーがメッセージ内容に、種々のエモーティコン（例えば、＾＾、--又は?）や擬声語（例えば、ワンワン、ザアザア、ガラガラ）を入力すれば、第２イメージ形成部がこれを認識し、これに合うように設定された表情や行動をとるようキャラクターのイメージを変える。また、ユーザーは、特定の単語やエモーティコンが入ったときに特定の表情や行動が表現されるように、予め設定することができる。
【００６８】
本発明に係るウェブページ上における漫画ストーリー形式の対話を支援するモバイルチャットシステムの第１モバイル端末機１０は、図３に示されるように、更に、第１音声認識部１７と、第１ボイス分析部１８と、第１音声データ変換部１９と、第１音色変換部２０と、第１音声出力部２１と、を含む。
【００６９】
第１音声認識部１７は、第１モバイル端末機１０のチャットユーザーの音声を認識する構成要素である。ユーザーの音声は、第１モバイル端末機１０のマイクを介して認識することが好ましく、チャットユーザーは、予め自身の音声を第１モバイル端末機１０の音声認識部１７を介して認識可能にすることができる。
【００７０】
第１ボイス分析部１８は、第１音声認識部１７で認識された第１モバイル端末機１０のチャットユーザーの音声の音色を分析する。
【００７１】
音色とは、人間によって感知される音の質を表し、具体的には、音声をなす周波数帯域が、主にどの周波数帯域か、高周波や低周波がどの程度分布されているのか、音の大きさがどのように変化されているかによって、様々なパターンに決定される。
【００７２】
第１ボイス分析部１８は、認識された音声の主な周波数帯域（最低周波数帯域から最高周波数までの範囲）を分析し、主な周波数の帯域を認識された第１モバイル端末機１０のユーザーの音色として決定する。
【００７３】
第１音声データ変換部１９は、第１モバイル端末機１０に入力されるチャットメッセージを音声情報に変換する。テキストとして入力されるメッセージを音声情報に変換することは、例えば、第１モバイル端末機のチャットユーザーが、「こんにちは」というテキストを、第１モバイル端末機１０に入力すれば、これを音声でそのまま発音し、音声情報に変換することである。
【００７４】
第１音色変換部２０は、第１音声データ変換部１９から音声情報を受信し、音声情報を第１ボイス分析部１８から分析された第１モバイル端末機１０のチャットユーザーの音色の周波数帯域（例えば、１，０００Ｈｚ〜１，５００Ｈｚ）に変換する。そして、ユーザーの音色の周波数帯域としてＢＰＦ（Band Pass Filter）を構成し、残りの周波数帯域はフィルタリングして除去する。
【００７５】
第１音声出力部２１は、第１音色変換部２０で第１モバイル端末機１０のユーザーの音色に変換されたチャットメッセージの音声情報を、第１モバイル端末機１０のスピーカーに出力する。また、第１音声出力部２１は、第１モバイル端末機１０のチャットユーザーの音色に変換されたチャットメッセージの音声情報を、チャットサーバー１０１を介して、第２モバイル端末機に伝送し、第２モバイル端末機３０でも第１モバイル端末機１０に入力されたチャットメッセージが、第１モバイル端末機１０のチャットユーザーの音色に変換されたチャットメッセージの音声情報で出力される。
【００７６】
本発明に係るウェブページ上における漫画ストーリー形式の対話を支援するモバイルチャットシステムのチャットウェブサーバー３３０は、更に、第２音声認識部と、第２ボイス分析部と、第２音声データ変換部と、第２音色変換部と、第２音声出力部と、を含む。第２音声認識部、第２ボイス分析部、第２音声データ変換部、第２音色変換部、及び第２音声出力部は、前述した第１音声認識部１７、第１ボイス分析部１８、第１音声データ変換部１９、第１音色変換部２０、及び第１音声出力部２１と基本的に機能が対応しており、そのブロック図の図示は省略する。
【００７７】
第２音声認識部は、第２モバイル端末機３０のチャットユーザーの音声を認識する。
第２ボイス分析部は、第２音声認識部から認識された音声の音色を分析する。音色とは、前述するように、人間によって感知される音の質を表し、具体的には、音声をなす周波数帯域が、主にどの周波数帯域か、高周波や低周波がある程度分布されているのか、音の大きさがどのように変化されているかによって、様々なパターンで決定される。
【００７８】
第２ボイス分析部は、認識された音声の主な周波数帯域（最低周波数帯域から最高周波数までの範囲）を分析し、主な周波数の帯域を認識された第２モバイル端末機のユーザーの音色として決定する。
【００７９】
第２音声データ変換部は、第２モバイル端末機３０に入力されるチャットメッセージを音声情報に変換する。テキストとして入力されるメッセージを音声情報に変換することは、例えば、第２モバイル端末機のチャットユーザーが、「こんにちは」というテキストを第２モバイル端末機３０に入力すれば、これを音声でそのまま発音し、音声情報に変換することである。
【００８０】
第２音色変換部は、第２音声データ変換部から変換された音声情報を受信し、音声情報を第２ボイス分析部から分析された第２モバイル端末機３０ユーザーの音色に変換する。第２音声データ変換部から音声情報を受信し、音声情報を第２ボイス分析部から分析された第２モバイル端末機３０のチャットユーザーの音色の周波数帯域（例えば、１，０００Ｈｚ〜１，５００Ｈｚ）に変換する。そして、ユーザーの音色の周波数帯域としてＢＰＦ（Band Pass Filter）を構成し、残りの周波数帯域はフィルタリングして除去する。
【００８１】
第２音声出力部は、第２音色変換部から第２モバイル端末機のユーザーの音色に変換されたチャットメッセージの音声情報を、第２モバイル端末機３０のスピーカーに出力し、第２音声出力部は、第２モバイル端末機のチャットユーザーの音色に変換されたチャットメッセージの音声情報を、チャットサーバーを介して第１モバイル端末機１０に伝送し、第１モバイル端末機１０でも、第２モバイル端末機３０に入力されたチャットメッセージが、第２モバイル端末機３０のチャットユーザーの音色に変換されたチャットメッセージの音声情報で出力されるようにする。
【００８２】
本発明に係るウェブページ上における漫画ストーリー形式の対話を支援するモバイルチャットシステムは、様々な変更を加えることができ、種々実施例を有するところ、特定の実施例を図面に例示して詳細な説明で詳しく説明している。しかし、これは、本発明を特定の実施形態に限定するものではなく、本発明の技術的思想及び技術範囲に含まれるあらゆる変更、均等物、代替物を含むものと理解しなければならない。
【００８３】
本発明の権利範囲は、特許請求の範囲に記載された事項により決定され、特許請求範囲に使われた括弧は、選択的限定のために記載されたものではなく、構成要素を明確にするために使用される。
【符号の説明】
【００８４】
１０  第１モバイル端末機
１１  ＣＰＵ
１２  第１メッセージ送受信部
１３  第１メッセージ作成部
１４  第１イメージ貯蔵部
１５  第１イメージ形成部
１６  プッシュ通知部
１７  第１音声認識部
１８  第１ボイス分析部
１９  第１音声データ変換部
２０  第１音色変換部
２１  第１音声出力部
３０  第２モバイル端末機
１００  統合システム
１０１  チャットサーバー
１０２  管理者サーバー
１０３  データベース
１０４  管理者端末機
１０５  ＩＰＮＳ
２００  プッシュサービスサーバー
３１０  ＳＮＳサーバー
３２０  他のウェブサーバー
３３０  チャットウェブサーバー
【図１】
2015514273.tif 000003
【図２】
2015514273.tif 000004
【図３】
2015514273.tif 000005
【図４】
2015514273.tif 000006
【図５】
2015514273.tif 000007
【図６】
2015514273.tif 000008
【図７】
2015514273.tif 000009
【国際調査報告】
2015514273.tif 000010
2015514273.tif 000011
2015514273.tif 000012
2015514273.tif 000013